(57)【要約】【課題】  天然爪の特性に一致する最も良い付け爪の装着を決定すること。【解決手段】  人工爪をサイジングし且つ貼付するシステム及び方法。少なくとも１つの付け爪の少なくとも１つの特性は複数の爪サイジング要素を使用して選択し得る。爪サイジング要素の各々は、肉体延長部への装着のための少なくとも１つの付け爪の少なくとも１つの特性に対応し得る。付け爪は、別々に形成され、かつ爪サイジング要素から分離されることが好ましい。【選択図】  図１
2005349183.tif 000002
【特許請求の範囲】
【請求項１】
少なくとも１つの付け爪の少なくとも１つの第１特性を得るシステムであって、
各々が少なくとも１つの第２特性を有すると共に肉体延長部に装着されるように構成された少なくとも１つの付け爪の少なくとも１つの前記第１特性に対応する複数の爪サイジング要素を備えるシステム。
【請求項２】
前記付け爪は爪先端を備える、請求項１に記載のシステム。
【請求項３】
前記付け爪は天然爪全体を覆う付け爪である、請求項１に記載のシステム
【請求項４】
少なくとも１つの前記付け爪の少なくとも1つの前記第１特性は、前記肉体延長部の少なくとも1つの第３特性に実質的に対応する、請求項１に記載のシステム。
【請求項５】
前記肉体延長部は指である、請求項１に記載のシステム
【請求項６】
前記肉体延長部は足首である、請求項１に記載のシステム。
【請求項７】
少なくとも１つの前記第１特性は、前記付け爪の長さに沿う曲率である、請求項１に記載のシステム。
【請求項８】
少なくとも１つの前記第１特性は前記付け爪を横切って延在する幅である、請求項１に記載のシステム。
【請求項９】
少なくとも１つの前記第１特徴部は前記付け爪の長さである、請求項１に記載のシステム。
【請求項１０】
少なくとも１つの前記付け爪はモールド成形プラスチック材料からなる、請求項１に記載のシステム。
【請求項１１】
前記付け爪は前記爪サイジング要素から分離して設けられ、かつ少なくとも1つの前記第２特性に基づいて選択される、請求項１に記載のシステム。
【請求項１２】
少なくとも１つの付け爪の少なくとも１つの第１特性を得る方法であって、
各々が少なくとも１つの第２特性を備え、かつ肉体延長部用の少なくとも１つの付け爪の少なくとも１つの第１特性に対応する複数の爪サイジング要素を供する段階を備える方法。
【請求項１３】
前記付け爪は爪先端を備える、請求項１２に記載の方法。
【請求項１４】
前記付け爪は天然爪全体を覆う付け爪である、請求項１２に記載の方法。
【請求項１５】
前記肉体延長部に実質的に一致する少なくとも１つの爪サイジング要素を決定する段階を更に備える、請求項１２に記載の方法。
【請求項１６】
少なくとも1つの前記爪サイジング要素に対応する少なくとも１つの付け爪を得る段階と、
少なくとも1つの前記付け爪を前記肉体延長部に取り付ける段階と、を更に備える請求項１５に記載の方法。
【請求項１７】
少なくとも1つの前記付け爪の少なくとも１つの前記第１特性は、前記肉体延長部の少なくとも１つの第３特性に実質的に対応する、請求項１３に記載の方法。
【請求項１８】
前記肉体延長部は指である、請求項１２に記載の方法。
【請求項１９】
前記肉体延長部は足首である、請求項１２に記載の方法。
【請求項２０】
少なくとも１つの前記第１特性は前記付け爪の長さに沿う曲率である、請求項１２に記載の方法。
【請求項２１】
少なくとも１つの前記第１特性は前記付け爪を横切って延在する幅である、請求項１２に記載の方法。
【請求項２２】
少なくとも１つの前記第１特性は前記付け爪の長さである、請求項１２に記載の方法。
【請求項２３】
少なくとも１つの前記付け爪はモールド成形プラスチック材料からなる、請求項１２に記載の方法。
【請求項２４】
前記付け爪は前記爪サイジング要素から分離され、かつ前記第２特性に基づいて選択される、請求項１２に記載の方法。
【発明の詳細な説明】
【技術分野】
【０００１】
[関連出願への相互参照]
本出願は、本願明細書にその全内容を参考文献として援用する、２００３年３月７日に出願された米国特許出願第１０／３８３，３８３号明細書に関する。
【０００２】
本発明は付け爪に関する。より詳細には、本発明は、付け爪の後の用途に使用される、付け爪又は天然爪の或る特性を得るためのシステム及び方法に関する。
【背景技術】
【０００３】
付け爪は指及び／又は爪先の化粧外観を更に良くするために一般に使用され、失った爪又は損傷した天然爪を代替えするために使用し得る。通常、付け爪は、天然爪が破断せずに成長するには極度に弱い場合に所望の爪長さ及び／又は形状を得るために使用し得る。爪磨きは、天然爪の表面に比べて付け爪表面により良く固着し得るから、付け爪の使用は好ましい物ともなり得る。
【０００４】
付け爪は一般に（ｉ）天然指爪の全範囲を覆い得る爪、及び（ｉｉ）天然爪の端部に位置づけられ、かつ該天然爪の端部に固着される爪先端を含む。こうした爪は天然爪の全体形状に製造された薄く、モールド成形されたプラスチック部材から通常は作られ、かつ、好ましくは、適切な混成及び快適な装着を保証するために、指又は爪先にこれらを装着した後で、鑢で更に削り落とし得る。通常、付け爪を装着するために、接合接着剤が付け爪及び／又は天然爪に貼付される。付け爪の前側部分が延在する爪先端を構成すべく天然爪上を延在するように、付け爪は、それから、天然爪上に位置づけられる。この時、延在する付け爪先端は所望の長さ及び形状に切断及び／又は鑢で削り落とし得る。この時、余分な接着剤は何れも拭き取られるか又は取り除かれる。待ち期間の後、接着剤は硬化し、付け爪は天然爪に固定される。付け爪を取り除くために、付け爪が固定される指は接着剤を溶解させるために十分な時間の間、通常、溶剤内に浸漬される。こうした浸漬プロセスは難しく且つ時間が掛かるばかりか、天然爪に損傷を与え得る。付け爪の特性（例えば、曲率、形状）が天然爪の特性に一致しない場合には特に問題である。
【発明の開示】
【発明が解決しようとする課題】
【０００５】
慣用の付け爪は多様な長さ及び幅を有する実質的に矩形のプラスチック部材である。通常、全範囲を覆う爪はアクリル酸による方法を使用して専門的に貼付される。しかしながら、アクリル酸による方法は、例えば、専門サロンでの訓練された専門家による時間の掛かる労働集約型の貼付を要し、多くの健康関心事を創出する有毒化学物質が必要とされ、及びアクリル酸により爪を侵食させて形を変えることは、増大する健康関心事に混乱を生じさせることによって問題を引き起こし得るといった多くの欠点を有する。
【０００６】
さらに、個々の爪を侵食させて形を変えることは、訓練された専門家によって貼付される場合でさえ、矛盾した結果に帰着し得る。さらに詳細には、通常の付け爪は、一般的に、天然爪へのより自然な装着を可能にするために長さ及び幅に沿った或る程度の湾曲部を含む。しかしながら、所望の装着及び混成を得るために天然爪に固定された後で、付け爪は、通常、鑢で削られ且つもみ革で磨くべきである。さらにまた、付け爪は、通常、天然爪の湾曲部に正確に一致しないから、こうした態様で固定された付け爪はしばしば壊れ、かくして、天然爪及び付け爪の両方に応力の増大を引き起こす。従って、天然爪上に不適切に装着された付け爪は、装着者に或る不快さを引き起こし、並びに付け爪を装着及び取り付ける幾つかの困難性を引き起こし得る。従って天然爪の特性に一致する最も良い付け爪の装着を決定する必要性がある。
【課題を解決するための手段】
【０００７】
本発明の例示的実施形態によれば、天然爪の特性と一致する付け爪を決定し得る。例えば、天然爪の或る特性が得られる。また、付け爪は、付け爪と天然爪との間でより良い装着を得るためにこれらの特性に基づいて次いで選択し得る。
【０００８】
本発明のある例示的実施形態では、少なくとも１つの付け爪の少なくとも１つの特性を得るシステムが提供される。システムは複数の爪サイジング要素を含み得る。その結果、要素の各々は少なくとも１つの特性を含む。爪サイジング要素の各々のこうした特性は、肉体延長部(例えば、指、爪先、天然爪等)に装着し得る付け爪の少なくとも１つの特性に相当する。本発明の他の例示的実施形態では、少なくとも１つの付け爪の少なくとも１つの特性を得る方法を提供し得る。この方法は複数の爪サイジング要素を供する段階を含み得る。その結果、要素の各々が少なくとも２つの特性を含む。爪サイジング要素の各々は、肉体延長部(例えば、指、爪先、天然爪等)に装着し得る付け爪の少なくとも１つの特性に相当する。
【０００９】
本発明の更なる実施形態では、爪サイジング要素の特性は、肉体延長部の１つ以上の特性と実質的に一致し得る。本発明のまた更なる実施形態では、爪サイジング要素に相当する１つ以上の特性を有する付け爪は複数の付け爪から得ることでき、かつ肉体延長部に取り付け得る。こうした付け爪は、サイジング要素とは別々に設け得るものであり、かつ爪サイジング要素の単数又は複数の特性に基づいて選択し得る。
【００１０】
他の及び更なる目的と共に、本発明をより良く理解するために、添付図面と共に以下の説明を参照する。本発明の範囲は添付の特許請求の範囲に指摘されている。
【発明を実施するための最良の形態】
【００１１】
本発明は、付け爪２０をサイジング及び／又は貼付する例示的システム及び方法を提供する。本発明の例示的システム及び方法は任意の肉体延長部分、例えば指、爪先に貼付し得るが、これらは指爪の化粧をより良くするために特に有用である。本発明は、小売り用途（例えば、全範囲を覆う爪）及び専門用途（例えば、アクリル酸塩による方法）の両方に使用し得る。
【００１２】
図１は、本発明に従い、かつ本発明の例示的システムであり且つ本発明の一部に使用し得るサイジング要素の１つの例示的組を示す。爪サイジング要素１２は単一部品を形成するために射出モールド成形によって組み立て得るものであり、かつ各々が少なくとも１つの特性を含む複数の個々の要素１０を含み得る。例えば、サイジング要素１０の例示的な特性は、横方向及び／又はその長手方向湾曲に関する天然爪の寸法を含み得る。天然爪は或る人から別の人まで横方向及び長手方向湾曲の両方が変化するから、複数のサイジング要素１０(各々は異なるこうした湾曲部を具備する)はこれらの変動を可能にするために使用し得る。本発明の例示的実施形態では、サイジング要素１０は、特に平坦(ＥＦ)、平坦(Ｆ)、規則的(Ｒ)、高い(Ｈ)及び特に高い(ＥＨ)に及ぶ横方向の湾曲を含み得る。本発明の他の例示的実施形態では、サイジング要素１０は長手方向の湾曲を含み得る。例えば、ミディアム(Ｍ)及び湾曲した(Ｃ)。さらに、サイジング要素１０の寸法は、例えば、＃
１（最大）から＃５（最小）の寸法を含み得る。これは、爪本体の産業上認識されている寸法に相当する。したがって、サイジング特性の多重組合せは複数のサイジング要素１０を形成するために組み込み得る。例えば、例示的サイジング要素は、平坦な横方向湾曲部を具備する＃５幅と、媒体Ｍの長手方向湾曲部幅と、を含み得る。
【００１３】
本発明の１つの例示的実施形態では、個々のサイジング要素１０は、図１に示すような支持構造体１４に接続し得る。したがって、個々のサイジング要素１０は、機能態様並びに審美的に心地よい支持構造体１４上に構成し得る。例えば、サイジング要素１０は、支持構造体１４に沿った寸法の順に配置し得る。
【００１４】
複数のサイジング要素１０は、少なくとも１つの特性、例えば、サイズ、横方向湾曲、長手方向湾曲又はこれらの組合せによって個々のサイジング要素１０の各々を識別するために使用し得るマーク、ラベルあるいは指標を含み得る。例えば、マーク、ラベル又は指標は、サイジング要素及び／又は支持構造体１４の別の区域と同様にサイジング要素１０上にマーク/ラベル指標を貼付する他の慣用の方法でサイジング要素内にモールド成形又はエッチングを施し得る。
【００１５】
図２に示すように、本発明によるこれらのシステム及び方法の例示的な実施形態は更に付け爪２０を含む。例えば、付け爪は全範囲を覆う爪を含み得る。これは天然爪を完全に覆う。さらに又は別様に、付け爪は爪先端を含み得るものであり、これは全範囲を覆う爪に比して長さが全体的に短く、かつそれぞれの天然爪の両端部に取り付け得る。本発明の付け爪は、テナイトアセテート（商品名）、ナイロン（登録商標）又はＡＢＳプラスチックの混成を含む、当該業界では知られた何れかの材料からも作り得る。
【００１６】
本発明による例示的な付け爪２０は、サイジング要素１０１の特性と同じ寸法特性で形成し得る。例えば、本発明の付け爪２０の１つ以上は、それらの幅より大きくし得る長さの実質的に矩形形状を有し得る。しかしながら、例示的な付け爪２０は、その所望の用途に依存して任意の形状又は寸法に形成し得る。
【００１７】
特に、本発明の例示的な付け爪２０の少なくとも１つは、例えば、天然爪３６に取り付け得る部分のような取付領域を構成する遠位端２２及び近位端２４を含み得る。付け爪２０の遠位端２２も天然爪にも接合し得ることも理解すべきである。付け爪２０の各々は、その寸法及び／又は曲率特性に依存する特定の厚さを有し得る。本発明の更なる実施形態では、付け爪２０は好ましくは審美的又は他の要因に依存してテーパを付し得る。例えば、近位端２４の取付領域２６は付け爪２０のより大きな柔軟性を可能にするために遠位端２２の厚さより薄くし得る。しかしながら、本発明の例示的な付け爪２０は所望の用途に依存して任意の厚さに形成し得る。
【００１８】
本発明のシステム及び方法の更なる例示的実施形態によれば、１組のサイジング要素１２は、例えば、爪先、指等の単数又は複数の肉体的特性を決定するために使用し得る。例えば、図３に示すように、１組のサイジング要素１２は、サイジング要素１０と天然爪３６とが最良に一致するように、サイジング要素１０が天然爪３６の１つ以上の特性に対応するかを決定するために、天然爪３６上に配置し得る。１組以上のサイジング要素１２（例えば、各々がサイジング特性の様々な組合せを有する多重サイジング要素１０を含む）は、それぞれの天然爪３６及び／又は付け爪の適切な特性を得るように天然爪３６と系統的に比較し得る。本発明の更なる実施形態では、個々のサイジング要素１０は、どの特性を各々のサイジング要素１０が含むかを認識するようにラベルを付けるか又はマークを付し得る。例えば、サイジング要素１０は＃１幅に対応し、かつ規則的な横方向の湾曲及び中央の横方向に直角な長手方向の湾曲を有するラベル”Ｒ−ＭＩ”を含み得る。
【００１９】
本発明の更なる実施形態では、複数の付け爪２０は複数のサイジング要素１０の各々のサイジング寸法に対応し得るように設け得る。さらに、図２に示すように、サイジング要素１０のそれぞれの特性に一般的に相当するこれらの特別な特性によって個々の付け爪２０を分離するために、付け爪２０は容器３０内に供給し得る。一旦、関連する天然爪３６に実質的に相当するそれぞれのサイジング要素１０が位置づけられると、サイジング要素１０の特性に対応する特性を有する付け爪２０は、例えば、別個の容器３０か得ることができる。本発明の更なる実施形態では、サイジング要素１０の特性と同じサイジング特性を実質的に含む付け爪２０は天然爪３６に取り付け得る。
【００２０】
本発明の好ましい実施形態であると確信されるものを説明してきたが、当業者なら本発明の精神から逸脱せずに本発明に他の及び更なる変形及び変更をなし得ることを認識し、従って、全てのこうした変形及び変更を本発明の真の範囲内の全てを記載することを意図している。
【図面の簡単な説明】
【００２１】
【図１】本発明のシステム及び方法に従って使用し得る１組の爪サイジング要素の例示的実施形態を示す図である。
【図２】本発明のシステム及び方法の例示的方法により選択された例示的付け爪を示す図である。
【図３】本発明のシステム及び方法による天然爪及び／又は付け爪の１つ以上の特性を得るための例示的システム及びその用途を示す図である。
【符号の説明】
【００２２】
１０  サイジング要素
１２  爪サイジング要素
１４  支持構造体
２０  付け爪
２２  遠位端
２４  近位端
２６  取付領域
３０  容器
３６  天然爪
【図１】
2005349183.tif 000003
【図２】
2005349183.tif 000004
【図３】
2005349183.tif 000005
【外国語明細書】
2005349183.tif 000006
2005349183.tif 000007
2005349183.tif 000008
2005349183.tif 000009
2005349183.tif 000010
2005349183.tif 000011
2005349183.tif 000012
2005349183.tif 000013
2005349183.tif 000014
2005349183.tif 000015
2005349183.tif 000016
2005349183.tif 000017
2005349183.tif 000018
2005349183.tif 000019
2005349183.tif 000020